【手続補正書】
【提出日】平成20年9月18日(2008.9.18)
【手続補正１】
【補正対象書類名】明細書
【補正対象項目名】特許請求の範囲
【補正方法】変更
【補正の内容】
【特許請求の範囲】
【請求項１】  ハイブリドーマ２７．Ｂ１（ＡＴＣＣ表示番号ＰＴＡ−１５９９）によって産生されるモノクローナル抗体２７．Ｂ１。
【請求項２】  ２７．Ｂ１という名称のハイブリドーマ（ＡＴＣＣ受託番号ＰＴＡ−１５９９）。
【請求項３】  ハイブリドーマ２７．Ｆ７（ＡＴＣＣ表示番号１５９８）によって産生されるモノクローナル抗体２７．Ｆ７。
【請求項４】  ２７．Ｆ７という名称のハイブリドーマ（ＡＴＣＣ表示番号１５９８）。
【請求項５】  試料中のＴＩＰ−２抗原保有癌細胞を検出するインビトロ方法であって、
ａ）前記試料中の細胞の表面上に存在する任意のＴＩＰ−２抗原に結合した検出可能に標識された抗体又はＦａｂ断片を含む抗体／Ｆａｂ断片−抗原複合体を生じせしめるのに適した条件下で、ＴＩＰ−２抗原上のエピトープに対して誘導された抗体又はＴＩＰ−２上のエピトープに対して誘導された抗体のＦａｂ断片と前記試料を接触させ、前記エピトープはハイブリドーマ２７．Ｆ７（ＡＴＣＣ表示番号１５９８）によって産生されるモノクローナル抗体２７．Ｆ７によって、またはハイブリドーマ２７．Ｂ１（ＡＴＣＣ表示番号ＰＴＡ−１５９９）によって産生されるモノクローナル抗体２７．Ｂ１によって認識され、前記抗体又はＦａｂ断片は検出可能に標識されていることと、
ｂ）工程（ａ）で形成された前記抗体／Ｆａｂ断片−抗原複合体に結合していない全ての標識抗体／Ｆａｂ断片を除去することと、
ｃ）前記検出可能に標識された抗体の標識を検出することによって、前記抗体／Ｆａｂ断片−抗原複合体の存在を決定することとを備え、
前記抗体／Ｆａｂ断片−抗原複合体の存在が、前記試料中のＴＩＰ−２抗原保有癌細胞の存在の指標である方法。
【請求項６】  前記試料が腫瘍試料由来の組織切片である、請求項５の方法。
【請求項７】  前記組織切片は、新鮮な状態で凍結した保存組織又はホルマリン固定された組織である、請求項６の方法。
【請求項８】  前記検出可能な標識が、放射性同位体、酵素、色素、ビオチン、蛍光標識、又は化学発光標識からなる群から選択される請求項５または６の方法。
【請求項９】  前記ＴＩＰ−２抗原保有癌細胞がヒト癌細胞である請求項５または６の方法。
【請求項１０】  前記癌細胞が、黒色腫細胞、基底細胞癌細胞、扁平上皮細胞癌細胞、神経芽細胞腫、多形性膠芽細胞腫、骨髄性白血病細胞、乳癌細胞、大腸癌細胞、子宮内膜癌細胞、肺癌細胞、卵巣癌細胞、前立腺癌細胞、子宮頚癌細胞、骨肉腫細胞、精巣癌細胞、及びリンパ腫細胞からなる群から選択される請求項５または６の方法。
【請求項１１】  前記抗体がモノクローナル抗体である請求項５または６の方法。
【請求項１２】  前記エピトープが、２７．Ｆ７という名称のハイブリドーマ（ＡＴＣＣ表示番号ＰＴＡ−１５９８）によって産生されるモノクローナル抗体２７．Ｆ７によって認識される請求項５または６の方法。
【請求項１３】  前記エピトープが、２７．Ｂ１という名称のハイブリドーマ（ＡＴＣＣ表示番号ＰＴＡ−１５９９）によって産生されるモノクローナル抗体２７．Ｂ１によって認識される請求項５または６の方法。
【請求項１４】  前記モノクローナル抗体が、ヒトモノクローナル抗体又はマウスモノクローナル抗体である請求項５または６の方法。
【請求項１５】  前記試料が、血清、血漿、唾液、涙、粘膜排出物、尿、腹腔液、脳脊髄液、リンパ液、骨髄、乳房生検組織、リンパ節、前立腺組織、乳房及び前立腺転移由来の組織、培地からなる群から選択される請求項５の方法。
【請求項１６】  工程（ａ）に先立って、ＴＩＰ−２が、アルコール沈殿によって、前記試料から濃縮される請求項５の方法。
【請求項１７】  前記試料が培地である請求項５の方法。
【請求項１８】  前記試料中の細胞の表面上に存在する任意のＴＩＰ−２抗原に結合した検出可能に標識された抗体又はＦａｂ断片を含む抗体／Ｆａｂ断片−抗原複合体を生じせしめるのに適した条件下で、ＴＩＰ−２抗原上のエピトープに対して誘導された抗体又はＴＩＰ−２上のエピトープに対して誘導された抗体のＦａｂ断片と前記試料を接触させ、前記エピトープはハイブリドーマ２７．Ｆ７（ＡＴＣＣ表示番号１５９８）によって産生されるモノクローナル抗体２７．Ｆ７によって、またはハイブリドーマ２７．Ｂ１（ＡＴＣＣ表示番号ＰＴＡ−１５９９）によって産生されるモノクローナル抗体２７．Ｂ１によって認識され、前記抗体又はＦａｂ断片は検出可能に標識されていることと、
ｂ）工程（ａ）で形成された前記抗体／Ｆａｂ断片−抗原複合体に結合していない全ての抗体／Ｆａｂ断片を除去することと、
ｃ）前記抗体／Ｆａｂ断片−抗原複合体に特異的に結合し且つ検出可能に標識された第二の抗体に、該第二の標識抗体を前記抗体／Ｆａｂ断片抗原複合体に結合させ得る適切な条件下で、工程（ｂ）の前記抗体／Ｆａｂ断片−抗原複合体を接触させることと、
（ｄ）（ｃ）における前記抗体／Ｆａｂ断片−抗原複合体産物に結合していない全ての第二の標識抗体を除去することと、
（ｅ）前記第二の抗体の標識を検出することによって、前記第二の標識抗体に結合した前記抗体／Ｆａｂ断片−抗原複合体の存在を決定することとを備え、
抗体／Ｆａｂ断片−抗原複合体の存在が、前記試料中のＴＩＰ−２抗原保有ヒト癌細胞の存在の指標である方法。
【請求項１９】  前記検出可能な標識が、放射性同位体、酵素、色素、ビオチン、蛍光標識、又は化学発光標識である請求項１８の方法。
【請求項２０】  前記ＴＩＰ−２抗原保有癌細胞がヒト癌細胞である請求項１８の方法。
【請求項２１】  前記癌細胞が、黒色腫細胞、基底細胞癌細胞、扁平上皮細胞癌細胞、神経芽細胞腫細胞、多形性膠芽細胞腫細胞、骨髄性白血病細胞、乳癌細胞、大腸癌細胞、子宮内膜癌細胞、肺癌細胞、卵巣癌細胞、前立腺癌細胞、子宮頚癌細胞、骨肉腫細胞、精巣癌細胞、及びリンパ腫細胞からなる群から選択される請求項１８の方法。
【請求項２２】  前記抗体がモノクローナル抗体である請求項１８の方法。
【請求項２３】  前記エピトープが、２７．Ｆ７という名称のハイブリドーマ（ＡＴＣＣ表示番号ＰＴＡ−１５９８）によって産生されるモノクローナル抗体２７．Ｆ７によって認識される請求項１８の方法。
【請求項２４】  前記エピトープが、２７．Ｂ１という名称のハイブリドーマ（ＡＴＣＣ表示番号ＰＴＡ−１５９９）によって産生されるモノクローナル抗体２７．Ｂ１によって認識される請求項１８の方法。
【請求項２５】  前記モノクローナル抗体が、ヒトモノクローナル抗体又はマウスモノクローナル抗体である請求項１８の方法。
【請求項２６】  前記試料が、血清、血漿、唾液、涙、粘膜排出物、尿、腹腔液、脳脊髄液、リンパ液、骨髄、乳房生検、組織、リンパ節、前立腺組織、乳房及び前立腺転移由来の組織、および培地からなる群から選択される請求項１８の方法。
【請求項２７】  工程（ａ）に先立って、ＴＩＰ−２が、アルコール沈殿によって、前記試料から濃縮される請求項１８の方法。
【請求項２８】  ＴＩＰ−２抗原保有癌細胞を検出することによって患者の癌を診断する方法であって、
ａ）前記患者から得た末梢血の試料を、前記試料中の細胞の表面上に存在する任意のＴＩＰ−２抗原に結合した検出可能に標識された抗体／Ｆａｂ断片−ＴＩＰ−２抗原複合体を生じせしめるのに適した条件下で、ＴＩＰ−２抗原上のエピトープに対して誘導された抗体又はそのＦａｂ断片と接触させ、前記エピトープはハイブリドーマ２７．Ｆ７（ＡＴＣＣ表示番号１５９８）によって産生されるモノクローナル抗体２７．Ｆ７によって、またはハイブリドーマ２７．Ｂ１（ＡＴＣＣ表示番号ＰＴＡ−１５９９）によって産生されるモノクローナル抗体２７．Ｂ１によって認識され、前記抗体は検出可能に標識されていることと、
ｂ）工程（ａ）で形成された前記抗体／Ｆａｂ断片−ＴＩＰ−２抗原複合体に結合していない全ての標識抗体／Ｆａｂ断片を除去することと、
ｃ）前記検出可能に標識された抗体の標識を検出することによって、前記抗体／Ｆａｂ断片−ＴＩＰ−２抗原複合体の存在を決定することとを備え、
抗体／Ｆａｂ断片−ＴＩＰ−２抗原複合体の存在が、前記患者中の癌の診断の指標である方法。
【請求項２９】  前記検出可能な標識が、放射性同位体、酵素、色素、ビオチン、蛍光標識、又は化学発光標識である請求項２８の方法。
【請求項３０】  前記患者がヒトである請求項２８の方法。
【請求項３１】  前記癌が、ヒト黒色腫、基底細胞癌、扁平上皮細胞癌、神経芽細胞腫、多形性膠芽細胞腫、骨髄性白血病、乳癌、大腸癌、子宮内膜癌、肺癌、卵巣癌、前立腺癌、子宮頚癌、骨肉腫、精巣癌、及びリンパ腫である請求項２８の方法。
【請求項３２】  前記抗体がモノクローナル抗体である請求項２８の方法。
【請求項３３】  前記エピトープが、２７．Ｆ７という名称のハイブリドーマ（ＡＴＣＣ表示番号ＰＴＡ−１５９８）によって産生されるモノクローナル抗体２７．Ｆ７によって認識される請求項２８の方法。
【請求項３４】  前記エピトープが、２７．Ｂ１という名称のハイブリドーマ（ＡＴＣＣ表示番号ＰＴＡ−１５９９）によって産生されるモノクローナル抗体２７．Ｂ１によって認識される請求項２８の方法。
【請求項３５】  前記抗体が、ヒトモノクローナル抗体又はマウスモノクローナル抗体である請求項２８の方法。
【請求項３６】  工程（ａ）に先立って、ＴＩＰ−２が、アルコール沈殿によって、前記試料から濃縮される請求項２８の方法。
【請求項３７】  ＴＩＰ−２抗原保有癌細胞を検出することによって患者の癌を診断する方法であって、
ａ）前記患者から得た末梢血の試料を、前記試料中の細胞の表面上に存在する任意のＴＩＰ−２抗原に結合した抗体を含む抗体／Ｆａｂ断片−ＴＩＰ−２抗原複合体を生じせしめるのに適した条件下で、ＴＩＰ−２抗原上のエピトープに対して誘導された抗体又はそのＦａｂ断片と前記試料を接触させ、前記エピトープはハイブリドーマ２７．Ｆ７（ＡＴＣＣ表示番号１５９８）によって産生されるモノクローナル抗体２７．Ｆ７によって、またはハイブリドーマ２７．Ｂ１（ＡＴＣＣ表示番号ＰＴＡ−１５９９）によって産生されるモノクローナル抗体２７．Ｂ１によって認識され、前記抗体は検出可能に標識されていることと、
ｂ）工程（ａ）で形成された前記抗体／Ｆａｂ断片−ＴＩＰ−２抗原複合体中に結合しなかった全ての抗体／Ｆａｂ断片を除去することと、
ｃ）前記抗体／Ｆａｂ断片−ＴＩＰ−２抗原複合体に特異的に結合し且つ検出可能に標識された第二の抗体に、該第二の標識抗体を前記抗体／Ｆａｂ断片抗原複合体に結合させ得る適切な条件下で、工程（ｂ）の前記抗体／Ｆａｂ断片−ＴＩＰ−２抗原複合体を接触させることと、
ｄ）（ｃ）における前記抗体／Ｆａｂ断片−ＴＩＰ−２抗原複合体産物に結合していない全ての第二の標識抗体を除去することと、
ｅ）前記第二の抗体の標識を検出することによって、前記第二の標識抗体に結合した前記抗体／Ｆａｂ断片−ＴＩＰ−２抗原複合体の存在を決定することとを備え、
抗体／Ｆａｂ断片−ＴＩＰ−２抗原複合体の存在が、前記患者中の癌の診断の指標である方法。
【請求項３８】  前記検出可能な標識が、放射性同位体、酵素、色素、ビオチン、蛍光標識、又は化学発光標識である請求項３７の方法。
【請求項３９】  前記患者がヒトである請求項３７の方法。
【請求項４０】  前記癌が、ヒト黒色腫、基底細胞癌、扁平上皮細胞癌、神経芽細胞腫、多形性膠芽細胞腫、骨髄性白血病、乳癌、大腸癌、子宮内膜癌、肺癌、卵巣癌、前立腺癌、子宮頚癌、骨肉腫、精巣癌、及びリンパ腫である請求項３７の方法。
【請求項４１】  前記抗体がモノクローナル抗体である請求項３７の方法。
【請求項４２】  前記エピトープが、２７．Ｆ７という名称のハイブリドーマ（ＡＴＣＣ表示番号ＰＴＡ−１５９８）によって産生されるモノクローナル抗体２７．Ｆ７によって認識される請求項３７の方法。
【請求項４３】  前記エピトープが、２７．Ｂ１という名称のハイブリドーマ（ＡＴＣＣ表示番号ＰＴＡ−１５９９）によって産生されるモノクローナル抗体２７．Ｂ１によって認識される請求項３７の方法。
【請求項４４】  前記抗体が、ヒトモノクローナル抗体又はマウスモノクローナル抗体である請求項３７の方法。
【請求項４５】  工程（ａ）に先立って、ＴＩＰ−２が、アルコール沈殿によって、前記試料から濃縮される請求項３７の方法。
【請求項４６】  患者におけるＴＩＰ−２抗原保有癌細胞を検出するためのインビボ方法であって、前記患者中の細胞の表面に結合された先に投与され且つ検出可能に標識された抗体の存在を決定することを含んでなり、前記抗体はＴＩＰ−２抗原またはそのＦａｂ断片上のエピトープに対して誘導され、且つ前記エピトープは、前記エピトープはハイブリドーマ２７．Ｆ７（ＡＴＣＣ表示番号１５９８）によって産生されるモノクローナル抗体２７．Ｆ７によって、またはハイブリドーマ２７．Ｂ１（ＡＴＣＣ表示番号ＰＴＡ−１５９９）によって産生されるモノクローナル抗体２７．Ｂ１によって認識される方法。
【請求項４７】  前記検出可能な標識が、放射性同位体、酵素、色素、ビオチン、蛍光標識、又は化学発光標識である請求項４６の方法。
【請求項４８】  前記患者がヒトである請求項４６の方法。
【請求項４９】  前記癌が、ヒト黒色腫、基底細胞癌、扁平上皮細胞癌、神経芽細胞腫、多形性膠芽細胞腫、骨髄性白血病、乳癌、大腸癌、子宮内膜癌、肺癌、卵巣癌、前立腺癌、子宮頚癌、骨肉腫、精巣癌、及びリンパ腫である請求項４６の方法。
【請求項５０】  前記抗体がモノクローナル抗体である請求項４６の方法。
【請求項５１】  前記エピトープが、２７．Ｆ７という名称のハイブリドーマ（ＡＴＣＣ表示番号ＰＴＡ−１５９８）によって産生されるモノクローナル抗体２７．Ｆ７によって認識される請求項４６の方法。
【請求項５２】  前記エピトープが、２７．Ｂ１という名称のハイブリドーマ（ＡＴＣＣ表示番号ＰＴＡ−１５９９）によって産生されるモノクローナル抗体２７．Ｂ１によって認識される請求項４６の方法。
【請求項５３】  前記抗体が、ヒトモノクローナル抗体又はマウスモノクローナル抗体である請求項４６の方法。
【請求項５４】  前記患者中の細胞の表面に結合した抗体又はそのＦａｂ断片の存在が、撮像装置を使用して検出される請求項４６の方法。
【請求項５５】  前記撮像装置が核磁気共鳴装置である請求項５４の方法。
【請求項５６】  前記撮像装置がＸ線免疫シンチグラフィー撮像装置である請求項５４の方法。
【請求項５７】  ヒト患者のＴＩＰ−２抗原保有癌細胞への外来物質の標的化された送達を介して癌を治療するための医薬の製造における、外来物質の抱合体を担持するリポソームの使用であって、ハイブリドーマ２７．Ｆ７（ＡＴＣＣ表示番号１５９８）によって産生されるモノクローナル抗体２７．Ｆ７、またはハイブリドーマ２７．Ｂ１（ＡＴＣＣ表示番号ＰＴＡ−１５９９）によって産生されるモノクローナル抗体２７．Ｂ１が前記リポソームの外表面に結合される使用。
【請求項５８】  前記外来物質が、抗癌剤、放射性同位体、毒素、抗生物質、プロドラッグ、酵素、及び化学療法化合物からなる群から選択される請求項５７の使用。
【請求項５９】  前記ＴＩＰ−２抗原保有癌細胞が、ヒト黒色腫細胞、基底細胞癌細胞、扁平上皮細胞癌細胞、神経芽細胞腫細胞、多形性膠芽細胞腫細胞、骨髄性白血病細胞、乳癌細胞、大腸癌細胞、子宮内膜癌細胞、肺癌細胞、卵巣癌細胞、前立腺癌細胞、子宮頚癌細胞、骨肉腫細胞、精巣癌細胞、またはリンパ腫細胞である請求項５７の使用。
【請求項６０】  ハイブリドーマ２７．Ｆ７（ＡＴＣＣ表示番号１５９８）によって産生されるモノクローナル抗体２７．Ｆ７、もしくはハイブリドーマ２７．Ｂ１（ＡＴＣＣ表示番号ＰＴＡ−１５９９）によって産生されるモノクローナル抗体２７．Ｂ１、またはＴＩＰ−２抗原に向けられたそのペプチド断片の使用であって、受動免疫によってヒト患者の癌を治療するための医薬の製造における使用。
【請求項６１】  前記抗体が、ＴＩＰ−２抗原保有細胞のアポトーシスを誘導する請求項６０の使用。
【請求項６２】  試料中のＴＩＰ−２抗原保有癌細胞の存在を検出するためのキットであって、
ａ）同一でも異なってもよい共有結合された複数のプローブを有し、各プローブがハイブリドーマ２７．Ｆ７（ＡＴＣＣ表示番号１５９８）によって産生されるモノクローナル抗体２７．Ｆ７、またはハイブリドーマ２７．Ｂ１（ＡＴＣＣ表示番号ＰＴＡ−１５９９）によって産生されるモノクローナル抗体２７．Ｂ１を備える固相支持体と、
ｂ）モノクローナル抗体／Ｆａｂ断片−ＴＩＰ−２抗原複合体の存在を検出する試薬とを備えたキット。
【請求項６３】  モノクローナル抗体／Ｆａｂ断片−ＴＩＰ−２抗原複合体の存在を検出する前記試薬が、ＴＩＰ−２抗原上のエピトープに対して誘導されたモノクローナル抗体に特異的に結合する検出可能に標識された第二の抗体である請求項６２のキット。
【請求項６４】  ＴＩＰ−２抗原上のエピトープに対して誘導された前記モノクローナル抗体が、２７．Ｆ７という名称のハイブリドーマ（ＡＴＣＣ表示番号ＰＴＡ−１５９８）によって産生されたモノクローナル抗体２７．Ｆ７である請求項６２のキット。
【請求項６５】  ＴＩＰ−２抗原上のエピトープに対して誘導された前記モノクローナル抗体が、２７．Ｂ１という名称のハイブリドーマ（ＡＴＣＣ表示番号ＰＴＡ−１５９９）によって産生されたモノクローナル抗体２７．Ｂ１である請求項６２のキット。
【請求項６６】  前記検出可能な標識が、放射性同位体、酵素、色素、ビオチン、蛍光標識、又は化学発光標識である請求項６３のキット。
【請求項６７】  前記ＴＩＰ−２抗原保有癌細胞がヒト癌細胞である請求項６２のキット。
【請求項６８】  前記癌細胞が、黒色腫細胞、基底細胞癌細胞、扁平上皮細胞癌細胞、神経芽細胞腫細胞、多形性膠芽細胞腫細胞、骨髄性白血病細胞、乳癌細胞、大腸癌細胞、子宮内膜癌細胞、肺癌細胞、卵巣癌細胞、前立腺癌細胞、子宮頚癌細胞、骨肉腫細胞、精巣癌細胞、及びリンパ腫細胞からなる群から選択される請求項６２のキット。
【請求項６９】  前記抗体がモノクローナル抗体である請求項６２のキット。
【請求項７０】  前記抗体がヒトモノクローナル抗体又はマウスモノクローナル抗体である請求項６２のキット。
【請求項７１】  前記試料が、血清、血漿、唾液、涙、粘膜排出物、尿、腹腔液、脳脊髄液、リンパ液、骨髄、乳房生検組織、リンパ節、前立腺組織、乳房及び前立腺転移由来の組織、及び培地からなる群から選択される請求項６２のキット。
【請求項７２】  前記試料が培地である請求項６２のキット。
【請求項７３】  前記試料が腫瘍試料である請求項６２のキット。
【請求項７４】  生物の体液中のＴＩＰ−２抗原の存在をインビトロで検出する方法であって、
ａ）前記体液の試料を、前記試料中に存在する任意のＴＩＰ−２抗原に結合した検出可能に標識された抗体を含む抗体／Ｆａｂ断片−ＴＩＰ−２抗原複合体を生じせしめるのに適した条件下で、ＴＩＰ−２抗原上のエピトープに対して誘導された抗体又は該抗体のＦａｂ断片と接触させ、前記エピトープはハイブリドーマ２７．Ｆ７（ＡＴＣＣ表示番号１５９８）によって産生されるモノクローナル抗体２７．Ｆ７によって、またはハイブリドーマ２７．Ｂ１（ＡＴＣＣ表示番号ＰＴＡ−１５９９）によって産生されるモノクローナル抗体２７．Ｂ１によって認識され、前記抗体は検出可能に標識されていることと、
ｂ）工程（ａ）で形成された前記抗体／Ｆａｂ断片−ＴＩＰ−２抗原複合体に結合していない全ての標識抗体を除去することと、
ｃ）前記検出可能に標識された抗体の標識を検出することによって、前記抗体／Ｆａｂ断片−ＴＩＰ−２抗原複合体の存在を決定することとを備え、
抗体／Ｆａｂ断片−ＴＩＰ−２抗原複合体の存在が、前記生物の体液中のＴＩＰ−２抗原の存在の指標である方法。
【請求項７５】  前記検出可能な標識が、放射性同位体、酵素、色素、ビオチン、蛍光標識、又は化学発光標識である請求項７４の方法。
【請求項７６】  前記抗体がモノクローナル抗体である請求項７４の方法。
【請求項７７】  前記エピトープが、２７．Ｆ７という名称のハイブリドーマ（ＡＴＣＣ表示番号ＰＴＡ−１５９８）によって産生されるモノクローナル抗体２７．Ｆ７によって認識される請求項７４の方法。
【請求項７８】  前記エピトープが、２７．Ｂ１という名称のハイブリドーマ（ＡＴＣＣ表示番号ＰＴＡ−１５９９）によって産生されるモノクローナル抗体２７．Ｂ１によって認識される請求項７４の方法。
【請求項７９】  前記抗体が、ヒトモノクローナル抗体又はマウスモノクローナル抗体である請求項７６の方法。
【請求項８０】  前記生物の体液が、血清、血漿、唾液、涙、粘膜排出物、尿、腹腔液、脳脊髄液、及びリンパ液からなる群から選択される請求項７４の方法。
【請求項８１】  工程（ａ）に先立って、ＴＩＰ−２が、アルコール沈殿によって、前記試料から濃縮される請求項７４の方法。
【請求項８２】  前記生物の体液が培地である請求項７４の方法。
【請求項８３】  ＴＩＰ−２抗原上のエピトープに対して誘導された前記モノクローナル抗体が、２７．Ｆ７という名称のハイブリドーマ（ＡＴＣＣ表示番号ＰＡＴ−１５９８）により産生されたヒトモノクローナル抗体２７．Ｆ７である請求項７４の方法。
【請求項８４】  ＴＩＰ−２抗原上のエピトープに対して誘導されたモノクローナル抗体が、ＴＩＰ−２抗原上のエピトープに対して誘導されたマウスモノクローナル抗体である請求項７４の方法。
【請求項８５】  前記ＴＩＰ−２抗原が、前記生物の体液中のＴＩＰ−２抗原保有癌細胞上に存在している請求項７４の方法。
【請求項８６】  前記ＴＩＰ−２抗原保有癌細胞がヒト癌細胞である請求項８５の方法。
【請求項８７】  前記癌細胞が、黒色腫細胞、基底細胞癌細胞、扁平上皮細胞癌細胞、神経芽細胞腫細胞、多形性膠芽細胞腫細胞、骨髄性白血病細胞、乳癌細胞、大腸癌細胞、子宮内膜癌細胞、肺癌細胞、卵巣癌細胞、前立腺癌細胞、子宮頚癌細胞、骨肉腫細胞、精巣癌細胞、及びリンパ腫細胞からなる群から選択される請求項８５の方法。